(57)【特許請求の範囲】
【請求項１】
硬貨を受け入れる投入口と、該投入口に続けて形成され、装置内に投入された硬貨を装置内部へと導く溝とから構成される硬貨入金口において、
上記溝は同時に複数枚の硬貨を投入可能であり、
上記溝内に回動自在に設けられ、上記投入口に対向したときに上記溝を塞ぐ大きさである第１の面と、上記投入口に対向したときに上記溝の中央に位置し上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設け、
上記シャッターは、上記第２の面が上記投入口に対向する位置に位置付けられたとき、硬貨の通過を可能とすると同時に、上記溝の大きさよりも小さく上記第２の面で仕切られた上記溝の大きさよりも大きい異物の進入を防止することを特徴とする硬貨入金口。
【請求項２】
硬貨を受け入れる投入口と、該投入口に続けて形成され、装置内に投入された硬貨を装置内部へと導く溝とから構成される硬貨入金口において、
上記溝内に回動自在に設けられ、上記投入口に対向したときに上記溝を塞ぐ大きさである第１の面と、上記投入口に対向したときに上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設け、
上記シャッターは、上記溝内を上記投入口に接離する方向に移動自在に設けられ、上記シャッターは上記入金不可時には上記入金可能時よりも上記投入口に近い位置に位置付けられ、
入金不可時の上記シャッターの位置を、装置内に投入される硬貨が上記第１の面に当接したときに、該硬貨の重心が上記溝の外側に位置する位置とすることを特徴とする硬貨入金口。
【請求項３】
硬貨を受け入れる投入口と、該投入口に続けて形成され、装置内に投入された硬貨を装置内部へと導く溝とから構成される硬貨入金口を有する現金自動入出金機において、
上記溝は同時に複数枚の硬貨を投入可能であり、
上記溝内に回動自在に設けられ、上記投入口に対向したときに上記溝を塞ぐ大きさである第１の面と、上記投入口に対向したときに上記溝の中央に位置し上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設け、
上記シャッターは、上記第２の面が上記投入口に対向する位置に位置付けられたとき、硬貨の通過を可能とすると同時に、上記溝の大きさよりも小さく上記第２の面で仕切られた上記溝の大きさよりも大きい異物の進入を防止することを特徴とする現金自動入出金機。
【請求項４】
硬貨を受け入れる投入口と、該投入口に続けて形成され、装置内に投入された硬貨を装置内部へと導く溝とから構成される硬貨入金口を有する現金自動入出金機において、
上記溝内に回動自在に設けられ、上記投入口に対向したときに上記溝を塞ぐ大きさである第１の面と、上記投入口に対向したときに上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設け、
上記シャッターは、上記溝内を上記投入口に接離する方向に移動自在に設けられ、上記シャッターは上記入金不可時には上記入金可能時よりも上記投入口に近い位置に位置付けられ、
入金不可時の上記シャッターの位置を、装置内に投入される硬貨が上記第１の面に当接したときに、該硬貨の重心が上記溝の外側に位置する位置とすることを特徴とする現金自動入出金機。
【発明の詳細な説明】
【０００１】
【発明の属する技術分野】
本発明は、硬貨が投入される硬貨入金口及び該硬貨入金口を有する現金自動入出金機に関する。
【０００２】
【従来の技術】
従来、現金自動入出金機においては、装置内へと硬貨を挿入するための硬貨入金口が設けられている。以下従来の硬貨入金口の構造について説明する。図９は従来例の硬貨入金口を示す正面図、図１０は従来例の硬貨入金口を示す側面図である。
【０００３】
図９、図１０において、図示せぬ現金自動入出金機においては、顧客が硬貨を装置内へ挿入するための硬貨入金口１が設けられている。硬貨入金口１は硬貨を受け入れる投入口２４と、該投入口２４に続けて装置内部に向かって形成され、現金自動入出金機内に投入された硬貨を装置内部へと導く入金溝２とから構成されている。なお、この入金溝２は硬貨６枚を同時に投入することが可能な大きさとなっている。
【０００４】
この投入口２４には、硬貨を入金溝２へ導く、硬貨案内用のすり鉢状のスロープ３が形成されている。そして入金溝２の中央にはセパレータ４が固定された状態で設けられている。このセパレータ４は装置内へ大きな異物が入れられることを防止する機能と、指等を入金溝２へ入れてしまうことを防止する危険防止の機能を備えている。
【０００５】
入金溝２には、セパレータ４の内部を貫くように、入金溝２を塞ぐシャッター５が矢印Ａ−Ｂ方向に移動自在に設けられている。なお、上記セパレータ４にはシャッター５が移動するための図１０に示す逃げ孔４ａが形成されている。そして硬貨の入金が不可能な状態から可能な状態に移行したときには、シャッター５は図示せぬ機構により図９に示す位置から矢印Ａ方向に移動して入金溝２から退避し、入金溝２を開放状態とする。一方硬貨の入金が可能な状態から不可能な状態に移行したときには、シャッター５は図示せぬ機構により矢印Ｂ方向に移動して図９に示す位置へと戻り、入金溝２を塞ぐ。そしてこれにより硬貨が装置内へと挿入されることを防止している。
【０００６】
【発明が解決しようとする課題】
上記従来の硬貨入金口においては、硬貨の入金時にシャッター５を入金溝２から完全に逃がす必要があり、シャッター５用の大きな退避スペースを必要とするので、硬貨入金口が大型化してしまうという問題点があった。
【０００７】
また変形した硬貨や異物等がシャッター逃げ孔４ａに引っ掛かり硬貨がジャムしてしまう場合があるという問題点があった。
【０００８】
更に、危険防止のためにシャッター５は外部から容易に手が触れられないように入金溝２の奥に位置している。従って、シャッター５が図９に示す入金溝を塞いでいる状態であった場合でも、顧客がシャッター５が入金溝２を塞いでいる状態であることに気付かず、図１１に示すように投入口２４から硬貨６を装置内部に挿入しようとすると、硬貨６は入金溝２に入り込んでシャッター５に当接した状態で移動が停止してしまう場合があった。すると、顧客が硬貨６を投入口２４から取り忘れてしまう場合があるという問題点があった。
【０００９】
【課題を解決するための手段】
上記課題を解決するために本発明で設けた解決手段は、硬貨を受け入れる投入口と、該投入口に続けて形成され、装置内に投入された硬貨を装置内部へと導く溝とから構成される硬貨入金口において、上記溝は複数枚の硬貨を投入可能であり、上記溝内に回動自在に設けられ、上記投入口に対向したときに上記溝を塞ぐ大きさである第１の面と、上記投入口に対向したときに上記溝の中央に位置し上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設け、上記シャッターは、上記第２の面が上記投入口に対向する位置に位置付けられたとき、硬貨の通過を可能とすると同時に、上記溝の大きさよりも小さく上記第２の面で仕切られた上記溝の大きさよりも大きい異物の進入を防止するものである。
【００１０】
上記構成によれば、入金不可時にはシャッターは第１の面が投入口に対向した状態となっており溝を塞いでいる。この硬貨の入金が不可能な状態から可能な状態に移行したときには、シャッターは第２の面が投入口に対向する位置に位置付けられる位置まで回動する。そしてこれにより溝が開放状態となる。
【００１１】
一方硬貨の入金が可能な状態から不可能な状態に移行したときには、シャッターは第１の面が投入口に対向する位置に位置付けられるまで回動する。そして第１の面により溝が塞がれる。
【００１２】
【発明の実施の形態】
以下、本発明の実施の形態を図面に従って説明する。なお各図面に共通する要素には同一の符号を付す。
【００１３】
第１の実施の形態
図１は第１の実施の形態の硬貨入金口を示す正面図、図２は第１の実施の形態の現金自動入出金機を示す斜視図、図３は第１の実施の形態の硬貨入金口を示す側面図、図４は第１の実施の形態の硬貨入金口を示す正面図、図５は第１の実施の形態の硬貨入金口を示す側面図である。
【００１４】
図２において、現金自動入出金機７は現金自動入出金機７全体のフレームとなるキャビネット８に覆われており、このキャビネット８は表面パネル９と、前扉１０とを備えている。そして表面パネル９には表示操作部１１と、カード挿入口１２と、レシート受取口１３と、紙幣操作部１４と、硬貨操作部１５とが設けられている。なお、硬貨操作部１５には、顧客が硬貨を装置内へ挿入するための硬貨入金口１６と、装置内から顧客へと硬貨を排出するための図示せぬ硬貨出金口とが設けられている。
【００１５】
図１、図３において、硬貨入金口１６は硬貨を受け入れる投入口２３と、該投入口２３に続けて装置内部に向かって形成され、現金自動入出金機７内に投入された硬貨を装置内部へと導く入金溝１７とから構成されている。なお、この入金溝１７は硬貨６枚を同時に投入することが可能な大きさとなっている。
【００１６】
この投入口２３には、硬貨を入金溝１７へ導く、硬貨案内用のすり鉢状のスロープ１８が形成されている。そして入金溝１７の内部には、該入金溝１７を塞ぐシャッター１９が設けられている。なお、このシャッター１９は回動軸１９ａ、１９ｂを備え、この回動軸１９ａと回動軸１９ｂを支軸として装置本体に回動自在に設けられている。またシャッター１９は投入口２３に対向したときに入金溝１７を塞ぐ大きさである図４に示す第１の面１９ｃと、投入口２３に対向したときに入金溝１７を塞ぐことが不可能な大きさである図１に示す第２の面１９ｄとを備えている。従って、第２の面１９ｄが投入口２３に対向したときには、入金溝１７を硬貨が通過することができる。
【００１７】
そしてシャッター１９には駆動モータを備えた図示せぬ回動機構が接続されており、この回動機構の動作によりシャッター１９は回動軸１９ａ、１９ｂを支軸として回動し、図１、図３に示す第２の面１９ｄが投入口２３に対向した位置（入金溝１７と平行な位置）、あるいは図４、図５に示す第１の面１９ｃが投入口２３に対向した位置（入金溝１７に対して平行な位置）に位置付けられる。また、危険防止のためにシャッター１９は外部から容易に手が触れられないように入金溝１７の奥に位置している。
【００１８】
次にシャッター１９の動作について説明する。
【００１９】
顧客による硬貨の投入が行われないとき、すなわち入金不可時には図４、図５に示すようにシャッター１９の第１の面１９ｃが投入口２３に対向した状態となっている。
【００２０】
そして硬貨の入金が不可能な状態から可能な状態に移行したとき、すなわち入金可能時には、シャッター１９は回動機構により回動軸１９ａと回動軸１９ｂを支軸として、図１、図３に示すように第２の面１９ｄが投入口２３に対向する位置に位置付けられるまで回動する。そしてこれにより入金溝１７が開放状態となる。またこの状態でシャッター１９は従来例に示すセパレータの機能を果たし、装置内へ大きな異物が入れられることを防止する機能と、指等を入金溝１７へ入れてしまうことを防止する危険防止の機能を備えている。
【００２１】
一方硬貨の入金が可能な状態から不可能な状態に移行したときには、シャッター１９は回動機構により回動軸１９ａと回動軸１９ｂを支軸として、図４、図５に示すように第１の面１９ｃが投入口２３に対向する位置に位置付けられるまで回動する。そしてこれによりシャッター１９により入金溝１７が塞がれ、硬貨が装置内へと挿入されることを防止する。
【００２２】
以上第１の実施の形態においては、シャッター１９は入金溝１７内で回動するのみであるので、従来のようなシャッター１９用の大きな退避スペースを必要としない。その結果、硬貨入金口１６を小型化することができ、これにより現金自動入出金機７を小型化することが可能となる。
【００２３】
また従来のようなシャッター逃げ孔を必要としないので、変形した硬貨や異物等がシャッター逃げ孔に引っ掛かりジャムが発生してしまうこともない。その結果、信頼性の高い現金自動入出金機７を実現することができる。
【００２４】
第２の実施の形態
次に第２の実施の形態について説明する。上記第１の実施の形態と同様な箇所には同一符号を付して説明は省略する。図６は第２の実施の形態の硬貨入金口を示す側面図、図７、図８は第２の実施の形態の硬貨入金口を示す正面図である。
【００２５】
図６において、第２の実施の形態の硬貨入金口２０においては、上記第１の実施の形態のシャッター１９と同様の構成のシャッター２１が設けられている。このシャッター２１は第１の実施の形態と同様に、回動軸２１ａ、２１ｂを備え、この回動軸２１ａと回動軸２１ｂを支軸として装置本体に回動自在に設けられている。またシャッター２１は第１の実施の形態と同様に、投入口２３に対向したときに入金溝１７を塞ぐ大きさである図７に示す第１の面２１ｃと、投入口２３に対向したときに入金溝１７を塞ぐことが不可能な大きさである、図６、図８に示す第２の面２１ｄとを備えている。またそれと共に回動軸２１ａと回動軸２１ｂが図６に示す矢印Ｃ−Ｄ方向に移動自在に設けられており、これによりシャッター２１は装置本体に対して溝１７内を矢印Ｃ―Ｄ方向に移動自在となっている。そしてシャッター２１には第１の実施の形態に示す回動機構と共に、図示せぬソレノイドが接続されており、このソレノイドの動作によりシャッター２１の第１の面２１ｃが入金溝１７を塞いだ状態で、シャッター２１は一点鎖線で示す位置、あるいは破線で示す位置に位置付けられる。なお、シャッター２１が破線で示す位置に位置付けられているときに硬貨がシャッター２１に当接したときの硬貨の重心は、入金溝１７の外側となるように、シャッター２１の位置が決められている。
【００２６】
なお、その他の構成は上記第１の実施の形態と同様であるので説明は省略する。
【００２７】
次にシャッター２１の動作について説明する。なお、上記第１の実施の形態と異なる動作のみ説明する。
【００２８】
硬貨の入金が可能な状態では、シャッター２１は回動軸２１ａと回動軸２１ｂが図６に一点鎖線で示す位置に位置付けられた状態で、図8に示すように第２の面２１ｄが投入口２３に対向した状態となっている。
【００２９】
そして硬貨の入金が可能な状態から不可能な状態に移行したときには、シャッター２１は回動機構により回動軸２１ａと回動軸２１ｂを支軸として、図７に示すように第１の面２１ｃが投入口２３に対向する位置に位置付けられるまで回動する。そしてこれによりシャッター２１により入金溝１７が塞がれ、硬貨が装置内へと挿入されることを防止する。そしてその後、ソレノイドの動作によりシャッター２１の回動軸２１ａと回動軸２１ｂが図６に一点鎖線で示す位置から破線で示す位置へと溝１７内を矢印Ｃ方向に移動する。この位置で顧客が硬貨２２を投入口２３から装置内部に投入しようとすると、シャッター２１の第１の面２１ｃには入金溝１７に入り込んだ硬貨２２が当接するが、シャッター２１は投入口２３に近い位置にあり、この硬貨２２の重心は入金溝１７の外側となる。従ってこの状態で顧客が硬貨２２から手を離すと硬貨２２は自重によって矢印Ｅ方向に落下する。その結果、投入口２３に硬貨２２が残留することはない。
【００３０】
硬貨２２の入金が不可能な状態から可能な状態に移行したときには、ソレノイドの動作によりシャッター２１の回動軸２１ａと回動軸２１ｂが図６に破線で示す位置から一点鎖線で示す位置へと矢印Ｄ方向に移動する。次にシャッター２１は回動機構により回動軸２１ａと回動軸２１ｂを支軸として、図８に示すように第２の面２１ｄが投入口２３に対向する位置に位置付けられるまで回動する。そしてこれにより入金溝１７が開放状態となる。
【００３１】
以上第２の実施の形態においては、上記第１の実施の形態と同様の効果を奏すると共に、投入口２３とシャッター２１の位置とが接近した状態でシャッター２１は入金溝１７を塞いでいるので、入金溝１７に硬貨２２が滞留するスペースがない。その結果、入金溝１７に硬貨２２が残留することがなく、顧客が硬貨２２を投入口２３から取り忘れてしまうことがなくなる。
【００３２】
【発明の効果】
以上詳細に説明したように本発明によれば、溝内に回動自在に設けられ、投入口に対向したときに上記溝を塞ぐ大きさである第１の面と、上記投入口に対向したときに上記溝を塞ぐことが不可能な大きさである第２の面とを備え、入金不可時には上記第１の面が上記投入口に対向する位置に位置付けられて上記溝を塞ぎ、一方入金可能時には上記第２の面が上記投入口に対向する位置に位置付けられて上記溝を開放するシャッターを設けたことにより、硬貨入金口を小型化することができ、これにより装置全体を小型化することが可能となる。また信頼性の高い装置を実現することができる。
【図面の簡単な説明】
【図１】第１の実施の形態の硬貨入金口を示す正面図である。
【図２】第１の実施の形態の現金自動入出金機を示す斜視図である。
【図３】第１の実施の形態の硬貨入金口を示す側面図である。
【図４】第１の実施の形態の硬貨入金口を示す正面図である。
【図５】第１の実施の形態の硬貨入金口を示す側面図である。
【図６】第２の実施の形態の硬貨入金口を示す側面図である。
【図７】第２の実施の形態の硬貨入金口を示す正面図である。
【図８】従来例の硬貨入金口を示す正面図である。
【図９】従来例の硬貨入金口を示す側面図である。
【図１０】従来例の硬貨入金口を示す側面図である。
【図１１】従来例の硬貨入金口を示す側面図である。
【符号の説明】
１６  硬貨入金口
１７  入金溝
１９  シャッター
２０  硬貨入金口
２１  シャッター
２２  硬貨
２３  投入口
【図１】
0004810740.tif 000002
【図２】
0004810740.tif 000003
【図３】
0004810740.tif 000004
【図４】
0004810740.tif 000005
【図５】
0004810740.tif 000006
【図６】
0004810740.tif 000007
【図７】
0004810740.tif 000008
【図８】
0004810740.tif 000009
【図９】
0004810740.tif 000010
【図１０】
0004810740.tif 000011
【図１１】
0004810740.tif 000012